(57)【要約】【課題】ゴルフ、野球、テニス、あるいは釣り等の際に着用するスポーツ用手袋の掌側に取付けたり、クラブや、バット、ラケット等のスポーツ用具のグリップ部に直接取付けてグリップ力を向上させることができるようになしたグリップストッパーを提供する。【解決手段】合成樹脂発泡体により製した所要の厚みを有する弾性芯材からなるストッパー本体１の表面部を、滑り止め特性を示現する合成樹脂製シート素材２によって被覆する。当該ストッパー本体１の下面にストッパー本体１の下面より大きい面積を有するベース地３を付設し、当該ベース地３の裏面に粘着層６を形成した。【選択図】図２
0003106525.tif 000002
【実用新案登録請求の範囲】
【請求項１】
合成樹脂発泡体により製した所要の厚みを有する弾性芯材からなるストッパー本体の少なくとも表面部を、滑り止め特性を示現する合成樹脂製シート素材によって被覆すると共に、当該ストッパー本体の下面にストッパー本体の下面より大きい面積を有するベース地を付設し、当該ベース地の裏面に粘着層を形成して、スポーツ用手袋の掌側、あるいは各種スポーツ用具のグリップ部の所望の位置にストッパー本体を粘着させることができるようになしたことを特徴とするグリップストッパー。
【考案の詳細な説明】
【技術分野】
【０００１】
本考案は、ゴルフ、野球、テニス、あるいは釣り等の際に着用するスポーツ用手袋の掌側に取付けたり、クラブや、バット、ラケット等のスポーツ用具のグリップ部に直接取付けてグリップ力を向上させることができるようになしたグリップストッパーに関する。
【背景技術】
【０００２】
たとえば、ゴルフスポーツの場合、正確なショットを得るためには、グリップを確実なものにしなければならず、そのためにこれまでに様々な工夫がなされてきている。たとえば次に示す特許文献１には、プラスチック製の補強手段を、ゴルフ手袋の甲の側に手首が動かないように設けることが開示されている。また、特許文献２には、伸縮自在の帯片の一面に一方の係止具をほぼ全面に亘って設け、当該帯片の他面の一端に手袋取り付け用係止具を設けると共に他端に前記一方の係止具に着脱自在に係合する他方の係止具を設けたゴルフ手袋用グリップ強化帯が示されている。
【特許文献１】特開平５−１８４７０３号公報
【特許文献２】特開平６−７９０２９号公報
【考案の開示】
【考案が解決しようとする課題】
【０００３】
前記特許文献１に示されたプラスチック製補強手段によった場合は、ゴルフ手袋の甲側を二重構造にしておいて、その中間部に比較的大型のプラスチック製補強部材を挿入しなければならず、且つ補強部材を縫合などの方法によって手袋の甲側に固定しなければならない。そのため、製作に費用が掛かると共に、手袋本体の甲側において縫合部が経時的に緩み当該プラスチック製補強手段が遊動を起こした場合グリップが却って不安定なものになるという問題点がある。
【０００４】
また、特許文献２に示されたゴルフ手袋用グリップ強化帯によった場合は、クラブ等を代える度に強化帯を外したり、締め直したりしなければならず、操作が面倒であるという問題点がある。
【０００５】
そこで、本考案は前記した従来の補強部材やグリップ強化帯によらずに、ゴルフ、野球、テニス、あるいは釣り等のスポーツ用手袋の掌側の任意の箇所に取付けたり、あるいはクラブや、バット、ラケット等のスポーツ用具のグリップ部の最適箇所に直接取付けてグリップ力を向上させることができるようになしたグリップストッパーを提供することを目的とするものである。
【課題を解決するための手段】
【０００６】
上記目的を達成するための本考案の構成を詳述すれば、請求項１に係る考案は、合成樹脂発泡体により製した所要の厚みを有する弾性芯材からなるストッパー本体の少なくとも表面部を、滑り止め特性を示現する合成樹脂製シート素材によって被覆すると共に、当該ストッパー本体の下面にストッパー本体の下面より大きい面積を有するベース地を付設し、当該ベース地の裏面に粘着層を形成して、スポーツ用手袋の掌側、あるいは各種スポーツ用具のグリップ部の所望の位置にストッパー本体を粘着させることができるようになしたことを特徴とするグリップストッパーである。
【０００７】
本考案によれば、ベース地の裏面に粘着層を形成してあるので、各種スポーツ用手袋の掌側における最適の箇所、すなわち各種スポーツ用具のグリップ部を挟み付け得る箇所にストッパー本体を定着させることができると共に、場合によってはゴルフクラブや、野球のバット、あるいはテニスのラケット等のグリップ部の所望の箇所に直接取付けてグリップを確実なものとすることができる。なお、本考案グリップストッパーはその外観形態を蒲鉾型、ボタン型等任意の形状とすることができ、また、その厚みについても、スポーツ用具の種類、あるいはプレイヤーの手の大きさ等に応じて適宜変更を加えることが可能である。
【考案の効果】
【０００８】
本考案によれば、弾性芯材からなるストッパー本体の取付け位置を任意に変更することができ、複数個のストッパー本体をスポーツ用手袋の掌側に粘着させたり、あるいはスポーツ用具のグリップ部に直接取付けてグリップ力を高めることができる。なお、ストッパー本体は合成樹脂発泡体により製してあるから衝撃吸収力に富み、インパクトの際の衝撃を和らげることができる。また、ストッパー本体の下面に付設してあるベース地はストッパー本体の下面より大きな面積を有しており、当該ベース地の裏面全域に形成してある強力な粘着層によりストッパー本体を堅固な状態で取付けることができる。
【考案を実施するための最良の形態】
【０００９】
以下、本考案に係るグリップストッパーの具体的構成を図示の実施形態に基づいて詳細に説明する。
【００１０】
図１は本考案グリップストッパーの実施形態を示す斜視図、図２はグリップストッパーの一実施形態を示す拡大断面図、図３は使用状態の一例を示す斜視図である。
【００１１】
図中１は合成樹脂発泡体により製した所要の厚みを有する弾性芯材からなるストッパー本体であり、当該ストッパー本体１は図１の（Ａ）に示すような蒲鉾型としてもよいし、あるいは図１の（Ｂ）に示すようなボタン型となしてもよい。また、特に図示しないが、所要の厚みをもった略正方形状ないし略矩形状となしてもよくその外観形態は特に制限はない。２は当該ストッパー本体１の少なくとも表面部を被覆するシート素材であり、このシート素材２は表面に高い滑り止め特性を発現する合成樹脂製シート素材を使用することが特に好ましい。
【００１２】
３は前記ストッパー本体１の下面に付設するベース地である。このベース地３は、図示の実施形態においては、図２に示すように、ストッパー本体１の裏面部にベース地３としての補強布４をあてがうと共に、ストッパー本体１の表面部を被覆する前記合成樹脂製シート素材２の下端周縁部を水平方向に折り曲げて、当該周縁部５を覆うようにしてベース地３を被せて、ベース地３、合成樹脂製シート素材２及びベース地３としての補強布４を一緒に縫合糸によって縫着した構造となっている。
【００１３】
しかしながら、ベース地３はこの実施形態に限定されるものではなく、たとえばストッパー本体１の表面部を被覆する合成樹脂製シート素材２の下端周縁部を水平方向に折り曲げて縫い代部となし、その下面にベース地３をあてがって縫い代部とベース地３を縫着するようにしてもよいのは勿論である。なお、前記した説明により明らかなように当該ベース地３は、ストッパー本体１の下面より大きな面積を有しているのは云うまでもない。
【００１４】
次に、図中６は前記ベース地３の裏面に形成した粘着層であり、７は当該粘着層６に貼付してある剥離紙である。前記したようにベース地３の実施形態は補強布４を用いる場合と、用いない場合とがあるが、いずれの場合においても粘着層６はベース地３の裏面全体に均等となるように形成するものである。
【００１５】
本考案グリップストッパーの使用にあたっては、ベース地３裏面の粘着層６を覆っている剥離紙７を取り除いて粘着層６を露出させ、当該粘着層６による粘着力を利用してゴルフ手袋等スポーツ用手袋８の掌側における最適の箇所、すなわち、ゴルフクラブのようなスポーツ用具のグリップ部９を良好に挟み付け得る最適の箇所に粘着させてグリップの強化を図るようにしたり、あるいは各種スポーツ用具のグリップ部９の所望の位置にストッパー本体を強固に粘着させることによってグリップを確実なものとする。
【００１６】
なお、前記したように、ストッパー本体１の表面部を覆う合成樹脂製シート素材２は、表面に高い滑り止め特性を有しているので、グリップ部９の滑動を有効に防止することができる。また、ストッパー本体１はポリウレタンのような合成樹脂発泡体により製してあるから衝撃吸収力に富み、インパクトの際の衝撃を和らげることができるという効果を奏する。
【図面の簡単な説明】
【００１７】
【図１】本考案グリップストッパーの実施形態を示す斜視図である。
【図２】グリップストッパーの一実施形態を示す拡大断面図である。
【図３】使用状態の一例を示す斜視図である。
【符号の説明】
【００１８】
１：ストッパー本体
２：合成樹脂製シート素材
３：ベース地
４：補強布
５：周縁部
６：粘着層
７：剥離紙
８：スポーツ用手袋
９：グリップ部
【図１】
0003106525.tif 000003
【図２】
0003106525.tif 000004
【図３】
0003106525.tif 000005